(57)【要約】【課題】携帯型の通信端末が着脱自在に装着される電子機器であって、携帯型通信端末の通話操作性を改善することができる電子機器を提供する。【解決手段】通話を含む通信機能を有する通信端末が一体的に装着される電子機器であって、電子機器は、ユーザが当該電子機器を把持する本体部と、通信端末１００を着脱自在に装着するための装着部と、音声を入出力するマイク１１５およびスピーカ１１４のうちの少なくとも一方と、を含む。【選択図】図１
2013118575.tif 000002
【特許請求の範囲】
【請求項１】
通話を含む通信機能を有する通信端末が一体的に装着される電子機器であって、
前記電子機器は、
ユーザが当該電子機器を把持する本体部と、
前記通信端末を着脱自在に装着するための装着部と、
音声を入出力するマイクおよびスピーカのうちの少なくとも一方と、を含むことを特徴とする、電子機器。
【請求項２】
前記電子機器は、
操作用のキー配列部を、さらに含み、
前記通信端末の装着時には、前記キー配列部のキー操作が前記通信端末を操作するためのキー操作として前記通信端末により受付けられることを特徴とする、請求項１に記載の電子機器。
【請求項３】
前記電子機器は、
装着された前記通信端末に電力を供給するための給電部を、さらに含むことを特徴とする、請求項１または２に記載の電子機器。
【請求項４】
前記通信端末は、バッテリを含み、
前記電子機器の前記給電部は、
装着された前記通信端末に電力を供給することにより、前記通信端末の前記バッテリを充電することを特徴とする、請求項３に記載の電子機器。
【請求項５】
前記電子機器の前記給電部は、外部電源から供給された電力を、装着された前記通信端末に供給することを特徴とする、請求項３または４に記載の電子機器。
【請求項６】
前記電子機器の前記給電部は、バッテリを含み、
当該電子機器のバッテリから出力される電力を、装着された前記通信端末に供給することを特徴とする、請求項３または４に記載の電子機器。
【請求項７】
前記電子機器の前記バッテリは充電池であって、
前記電子機器の前記給電部は、さらに、外部電源から供給される電力により前記充電池を充電する充電制御部を含むことを特徴とする、請求項６に記載の電子機器。
【請求項８】
前記電子機器は、さらに、前記マイクおよび前記スピーカの少なくとも一方に接続される音声処理部を含み、
前記電子機器は、
前記マイクおよび前記スピーカの少なくとも一方から入力および／または出力される音声を信号処理した後の信号を前記装着された通信端末と送受することを特徴とする、請求項６または７に記載の電子機器。
【請求項９】
前記電子機器は、さらに、キーパッド処理部を含み、前記キーパッド処理部によりキーパッド操作の信号処理を施して得られた信号を、前記装着された通信端末と送受することを特徴とする、請求項６または７に記載の電子機器。
【発明の詳細な説明】
【技術分野】
【０００１】
この発明は電子機器に関し、特に、通信機能を有する端末が着脱自在に装着される電子機器に関する。
【背景技術】
【０００２】
近年、携帯電話機の多機能化が進み、いわゆるスマートフォンというカテゴリの携帯通信端末が市場に出ている。これは、従来の携帯電話の機能に加え、高性能のブラウザ機能やメール機能を備えており、また自分でアプリケーションを追加できるもので、機器の前面はタッチパネルを有する液晶パネルで構成され、画面タッチによる直感的操作が可能で、データ通信等には非常に操作性のよい機器となっている。
【０００３】
また、これまで携帯通信端末に異なる機能を有する他の端末を接続することで、携帯端末の機能を拡張する技術が提案されている。
【０００４】
たとえば、特許文献１（特開平８−１４０１３８号公報）の通信装置は、携帯型電話機と、ページャなどの外部通信端末装置とを結合させ、ページャから送られてきたダイヤルデータを光通信により携帯型電話機に送信し、携帯型電話機から当該電話番号の相手に発信が出来るように電話発呼の操作性を改善するものである。
【０００５】
特許文献２（特開平１０−２０７５７６号公報）の携帯型情報端末装置によれば、操作性に優れた携帯型の電子端末機器に、無線データ通信機能を有する通信機器を電気的に接続することにより、リアルタイムで情報データの送受信が可能となり、かつ機械的にも結合されて単体として取扱い得るので、持ち運びが容易となるものである。
【０００６】
特許文献３（特開２００２−９４６２８号公報）では、各種機能をブロック単位で収容し、異なる機能を収容しているブロックを着脱自在に結合することで、種々の通信態様を効率的に可能にする移動機を提案している。
【先行技術文献】
【特許文献】
【０００７】
【特許文献１】特開平８−１４０１３８号公報
【特許文献２】特開平１０−２０７５７６号公報
【特許文献３】特開２００２−９４６２８号公報
【発明の概要】
【発明が解決しようとする課題】
【０００８】
しかしながら、現在のスマートフォンは、筐体下部等にマイクが設けられているが、その外形形状のために耳に当てて持つのに適した形状ではなく、またマイクが口に近い位置に配置することができないので、口から離れた位置から声を拾うことになるため、使用者は大きな声で話すことが求められる。そのため周囲に気遣う必要がある。また従来の外付けスピーカフォンや外付けイヤホンマイク、外付けハンドセットを用いる場合もあるが、これらは端末と一体として使用できないために、使用する度毎に接続する必要があったり、特別な接続部品が必要になるなど、電話機としては使いづらいものであった。
【０００９】
また、特許文献１の通信装置は、携帯型電話機本体と、ページャなどの外部通信端末装置とを接続して両者間でデータ伝送を行なうものではあるが、携帯型電話の通話の操作性を改善するものではない。
【００１０】
また特許文献２では携帯型電子端末機器に通信機器を一体的にユニット化したものではあるが、通話の機能を有しておらず、電話機の音声通話の操作性を改善するものではなかった。
【００１１】
特許文献３の移動機は、種々の通信態様での通信を可能にするために、機能を分散してブロック化している。したがって、所望する機能に合わせて各ブロックを組合わせて使用する必要があり、異なる使用目的のたびに結合と分解を繰り返す必要があるもので、スマートフォン等の携帯型通信端末の形状をそのまま使用して通話操作性を改善するといった目的には適さないものであった。
【００１２】
それゆえに、本発明の目的は、携帯型の通信端末が着脱自在に装着される電子機器であって、携帯型通信端末の通話操作性を改善することができる電子機器を提供することである。
【課題を解決するための手段】
【００１３】
この発明のある局面に従う、通話を含む通信機能を有する通信端末が一体的に装着される電子機器は、ユーザが当該電子機器を把持する本体部と、通信端末を着脱自在に装着するための装着部と、音声を入出力するマイクおよびスピーカのうちの少なくとも一方と、を含む。
【００１４】
好ましくは、電子機器は、操作用のキー配列部を、さらに含み、通信端末の装着時には、キー配列部のキー操作が通信端末を操作するためのキー操作として通信端末により受付けられる。
【００１５】
好ましくは、電子機器は、装着された通信端末に電力を供給するための給電部を、さらに含む。
【００１６】
好ましくは、通信端末は、バッテリを含み、電子機器の給電部は、装着された通信端末に電力を供給することにより、通信端末のバッテリを充電する。
【００１７】
好ましくは、電子機器の給電部は、外部電源から供給された電力を、装着された通信端末に供給する。
【００１８】
好ましくは、電子機器の給電部は、バッテリを含み、当該電子機器のバッテリから出力される電力を、装着された通信端末に供給する。
【００１９】
好ましくは、電子機器のバッテリは充電池であって、電子機器の給電部は、さらに、外部電源から供給される電力により充電池を充電する充電制御部を含む。
【００２０】
好ましくは、電子機器は、さらに、マイクおよびスピーカの少なくとも一方に接続される音声処理部を含み、電子機器は、マイクおよびスピーカの少なくとも一方から入力および／または出力される音声を信号処理した後の信号を装着された通信端末と送受する。
【００２１】
好ましくは、電子機器は、さらに、キーパッド処理部を含み、キーパッド処理部によりキーパッド操作の信号処理を施して得られた信号を、装着された通信端末と送受する。
【発明の効果】
【００２２】
本発明によれば、通信端末が着脱自在に装着される電子機器であって、ユーザにとって操作性のよい通話機能を提供する電子機器を提供することができる。
【図面の簡単な説明】
【００２３】
【図１】本実施の形態に係る機器の構成を示す図である。
【図２】本実施の形態に係るクレードルの他の構成例を示す図である。
【図３】本実施の形態に係る端末をクレードルに装着する態様を説明するための図である。
【図４】本実施の形態に係るクレードルを充電台に装着した状態を示す図である。
【図５】本実施の形態に係るクレードルをユーザが把持した状態を示す図である。
【図６】本発明の実施の形態に係る処理フローチャートである。
【図７】本実施の形態に係るクレードルのさらなる他の構成例を示す図である。
【発明を実施するための形態】
【００２４】
以下本発明の実施の形態について図面を参照し詳細に説明する。なお、同一の構成要素には各図において同一の符号を付し、詳細な説明は繰返さない。
【００２５】
本発明に係る電子機器の一例として、本実施の形態では、クレードル２００を示す。クレードル２００は、通信機能を有する通信端末１００が着脱自在に装着される本体部を備える。通信端末１００は、外部の機器または外部のネットワークなどとの通信機能（通話機能、メール送受などのデータ通信機能を含む）を有する携帯型の通信端末である。
【００２６】
＜ハードウェア構成＞
図１（Ａ）にはタブレット型の通信機能を有する、たとえばスマートフォンなどの通信端末１００を示し、図１（Ｂ）には通信端末１００が装着される本発明の電子機器としてクレードル２００を示し、図１（Ｃ）にはクレードル２００が着脱自在に装着される充電台３００を示す。充電台３００には、接続されるＡＣアダプタ４００を経由して外部の商用電源５００から電力が供給される。
【００２７】
図１（Ａ）を参照して通信端末１００は、各部を集中的に管理および制御するＣＰＵ（Central  Processing  Unit）などのマイクロプロセッサにより構成される主制御部１０１、不揮発性メモリなどの各種メモリからなるデータ記憶部１０２、ＲＯＭ（Read  Only  Memory）およびＲＡＭ（Random  Access  Memory）を含みプログラムおよび各種データを記憶するための記憶部１０３、操作部１０５を介したユーザ操作を受付け、受付けた操作に応じた指示信号を出力する操作処理部１０４、クレードル２００が装着されているか否かを検出するためのクレードル装着検出部１０６、蓄えた電力を各部に供給するための充電可能なバッテリである充電池１０８、充電池１０８を充電するための充電制御部１０７、接続するアンテナを介して外部機器またはネットワークと無線通信するための無線通信部１０９、無線通信部１０９を介して送信・受信する信号を処理するための無線処理部１１０、ＬＣＤ（Liquid  Crystal  Display）などの表示部１１２による表示動作を制御するための表示処理部１１１、スピーカ１１４およびマイク（マイクロフォンの略）１１５による入出力音声を信号処理するための音声処理部１１３、およびクレードル２００との間で電力供給と通話のための音声信号などを含む各種信号を通信するためのＩ／Ｆ（インターフェイスの略）部１１６を備える。Ｉ／Ｆ部１１６は、電力供給を受けるための端子と、音声信号を入出力するための端子と、制御信号等を入出力するための端子などを含む。
【００２８】
なお、本実施の形態では、操作部１０５と表示部１１２は一体的に構成されたタブレット型の入出力デバイスとして提供されるが、別体であってもよい。
【００２９】
図１（Ｂ）を参照し、クレードル２００は外部からのユーザ操作を受付けるためのキー配列部を有するキーパッド操作部２０２、スピーカ２０７およびマイク２０８、通信端末１００に電力を供給するため、および音声信号を含む各種信号を通信するためのＩ／Ｆ部２０５、および充電台３００からの電力供給を受けるための充電端子２０６を備える。Ｉ／Ｆ部２０５は、通信端末１００に電力を供給するための端子、音声信号を入出力するための端子、制御信号等を入出力するための端子などを含む。また、Ｉ／Ｆ部２０５と充電端子２０６とにより給電部２１１が構成される。
【００３０】
キーパッド操作部２０２はＩ／Ｆ部２０５、１１６を介して通信端末１００の操作処理部１０４に接続され、キーパッド操作部２０２におけるキー操作が、通信端末１００の操作信号として主制御部１０１に入力される。
【００３１】
また、スピーカ２０７、マイク２０８はＩ／Ｆ部２０５、１１６を介して通信端末１００の音声処理部に接続され、スピーカ２０７、マイク２０８における音声の入出力が、通信端末１００の音声信号として処理される。
【００３２】
なお、クレードル２００のキーパッド操作部２０２は必須ではなく、装着される通信端末１００の操作部１０５により、キーパッド操作部２０２の機能を兼用するようにしてもよい。
【００３３】
図１（Ｃ）を参照して充電台３００は、装着されるクレードル２００に電力を供給するための充電端子３０２、およびＡＣアダプタ取付け端子３０１を含む。外部の商用電源５００から供給される電力を、ＡＣアダプタ４００によって電圧変換（１００Ｖ→５Ｖ）した後、ＡＣアダプタ取付け端子３０１を介して充電端子３０２に供給する。
【００３４】
クレードル２００は、充電端子２０６と３０２を介して充電台３００から電力が供給される。
【００３５】
図１において、通信端末１００がクレードル２００に装着された状態では、通信端末１００とクレードル２００は、Ｉ／Ｆ部１１６と２０５を介し、電力供給および音声信号を含む各種信号を送受する。また、充電制御部１０７は、クレードル２００から供給される電力により充電池１０８を充電してもよい。クレードル２００のスピーカ２０７およびマイク２０８から入出力する音声信号を用いて無線通信部１０９を介し外部と通話することができる。
【００３６】
図２には、クレードル２００の変形例が示される。図２を参照してクレードル２００Ａは、図１（Ｂ）のクレードル２００とは異なり、自身が電源として充電池を備える。つまり、クレードル２００Ａの構成に追加して、各部に電力を供給するための電源であって、充電可能である充電池２０９と、充電台３００から供給される電力により充電池２０９を充電するための充電制御部２１０とを備える。これら充電池２０９、充電制御部２１０、I／F部２０５および充電端子２０６により給電部２１１が構成される。したがって、充電池２０９を備えることにより、クレードル２００Ａを充電台３００から取り外して使用することができるとともに、クレードル２００Ａの充電池２０９を電源として、通信端末１００の充電池１０８を充電することも可能となる。
【００３７】
また、クレードル２００Ａは、キーパッド操作部２０２が受付けた操作に応じた指示信号を出力する操作処理部２０３、およびスピーカ２０７、マイク２０８を介した音声の信号処理のための音声処理部２０４を備える。これによりクレードル２００Ａは、上記指示信号および処理後の音声信号をＩ／Ｆ部２０５および１１６を介して主制御部１０１と送受する。
【００３８】
図３を参照して、通信端末１００をクレードル２００に装着する態様について説明する。クレードル２００はユーザが把持できる形状となっており、通信端末１００を着脱自在に装着するための装着部と、キーが配列されたキーパッド操作部２０２が設けられる。
【００３９】
クレードル２００には、相互に離れた位置にスピーカ２０７とマイク２０８が取り付けられる。またクレードル２００には、通信端末１００を嵌め込み装着するために、通信端末１００の外形状に整合させた形状の凹部が形成される。凹部にはＩ／Ｆ部２０５が設けられており、当該Ｉ／Ｆ部２０５は、凹部に通信端末１００が嵌め込まれた状態で通信端末１００のＩ／Ｆ部１１６と結合する。
【００４０】
なお、ここでは、通信端末１００をクレードル２００に装着する態様として、通信端末１００を凹部に嵌め込む方法を採用しているが、装着方法は、このような嵌め込み式に限定されるものではない。
【００４１】
＜充電態様＞
通信端末１００の充電池１０８の充電の方法について説明する。
【００４２】
クレードル２００を用いて充電池１０８を充電する場合には、通信端末１００が装着されたクレードル２００は、充電端子２０６と３０２が相対するようにして充電台３００に装着される。商用電源５００からの電力は、ＡＣアダプタ４００により電圧変換処理された後に、充電端子２０６と３０２およびクレードル２００のＩ／Ｆ部２０５を経由し、装着されている通信端末１００に供給される。
【００４３】
通信端末１００では、Ｉ／Ｆ部１１６を介してクレードル２００から電力が供給されると、充電制御部１０７は、供給された電力により充電池１０８を充電する。これにより、充電池１０８を、通信端末１００をクレードル２００に装着する期間において充電することができる。
【００４４】
また、クレードル２００に代替してクレードル２００Ａを用いてもよい。クレードル２００Ａは充電台３００に装着されると、充電制御部２１０は、充電端子２０６を介して供給される電力により充電池２０９を充電する。充電された後では、クレードル２００Ａを充電台３００から取り外した状態であっても、クレードル２００Ａに装着された通信端末１００の充電制御部１０７は、クレードル２００Ａの充電池２０９から供給される電力により充電池１０８を充電することができる。これにより、通信端末１００の充電池１０８を、通信端末１００をクレードル２００Ａに装着する期間において充電することができる。
【００４５】
＜使用態様＞
図４には、クレードル２００が充電台３００に装着された状態が示される。図４のクレードル２００はクレードル２００Ａに代替してもよい。
【００４６】
図４では、クレードル２００の凹部には、通信端末１００が嵌め込まれている。また、クレードル２００のスピーカ２０７とマイク２０８は、クレードル２００の筺体面において外部へ音声を出力するとともに外部からの音声を入力可能な位置に取り付けられている。
【００４７】
図４の状態で、通信端末１００の通信機能を用いて外部に電話する場合には、通信端末１００のスピーカ１１４およびマイク１１５に代替して、クレードル２００のスピーカ２０７とマイク２０８を用いて通話のための音声を入出力することができる。したがって、ユーザは通信端末１００を持たなくとも、クレードル２００に設置した状態（ハンズフリー）で相手と通話することができる。
【００４８】
また、このとき電話番号など通話のための指示は、クレードル２００のキーパッド操作部２０２を操作して入力する。また、通信端末１００の操作部１０５を操作して入力してもよい。
【００４９】
図５には、通信端末１００が装着されたクレードル２００をユーザが把持している状態が示される。マイク２０８とスピーカ２０７は、クレードル２００をハンドセットとして用いるのに適した位置関係で取り付けられており、ユーザは、クレードル２００を把持した状態でマイク２０８を口元付近に、スピーカ２０７を耳元付近に寄せるようにして通話することができる。これにより持ちやすく、通話しやすい状態での通話が可能となる。
【００５０】
＜通信端末１００による接続検知＞
図６には通信端末１００のクレードル装着検出部１０６を用いたクレードル２００の接続検知のための処理フローチャートが示される。
【００５１】
図６を参照して、クレードル装着検出部１０６は、Ｉ／Ｆ部１１６の状態変化に基づき、クレードル２００が接続されているか否かを検知する（ステップＳＴ３）。状態変化の一例として、端子電圧を用いる場合、端子電圧値と所定電圧値とを比較し、比較結果に基づき、クレードル２００が接続されているか否かを検出し、検出信号を出力する方式であってもよい（ステップＳＴ５）。
【００５２】
接続が検出されると（ステップＳＴ５で“接続”）、主制御部１０１はクレードル装着検出部１０６からの検出信号に従って、音声処理部１１３を介してスピーカ１１４およびマイク１１５への供給電力を遮断し、Ｉ／Ｆ部１１６を介してスピーカ２０７およびマイク２０８と通信端末１００との間で音声信号を入出力する（ステップＳＴ７）。これにより、図４または図５の状態で、通信端末１００の通話機能の元で、クレードル２００のスピーカ２０７とマイク２０８を用いた音声による通話が可能となる。
【００５３】
非接続と検出すると（ステップＳＴ５で“非接続”）、主制御部１０１はスピーカ１１４およびマイク１１５を使用できるように、スピーカ１１４およびマイク１１５への電力供給を継続する（ステップＳＴ９）。これにより、通信端末１００が、クレードル２００に接続されずに単独で使用される場合には、通信端末１００のスピーカ１１４およびマイク１１５を用いた通話が可能となる。
【００５４】
＜通信端末１００による通話と充電＞
本実施の形態では、通信端末１００の充電池１０８を、クレードル２００に装着されている状態で充電することができる。
【００５５】
具体的には、図４のようにクレードル２００に装着される場合には、通信端末１００は、充電台３００およびクレードル２００を経由して電力がＩ／Ｆ部１１６を介して供給される。充電制御部１０７は、供給される電力により充電池１０８を充電する。したがって、図４の状態では、上述したハンズフリーの通話と、充電池１０８の充電とを平行して行うことができる。
【００５６】
また、図５において通信端末１００は、クレードルが充電池を有する２００Ａの場合には、充電池２０９から供給される電力がＩ／Ｆ部１１６を介して供給される。充電制御部１０７は、供給される電力により充電池１０８を充電する。したがって、充電台３００に接続しない図５の状態でも、充電池１０８の充電を行うことができ、さらに、この充電は、通話中であっても通話と平行して行うことができる。
【００５７】
＜変形例＞
上記実施の形態では、クレードル２００（２００Ａ）のキーパッド操作部２０２により、キー入力を行なう例を示していたが、通信端末１００の画面上にキーボードを表示して指による操作で情報の入力を可能にしてもよい。その場合、クレードル２００（２００Ａ）のキーパッド操作部を省略することが出来る。
【００５８】
また、クレードル２００（２００Ａ）は、マイク２０８とスピーカ２０７の両機能を備えるとしているが、一方機能のみを備えるとしてもよい。その場合には、クレードル２００（２００Ａ）が備えない他方の機能を、通信端末１００の機能を用いて補うことができる。
【００５９】
本実施の形態では、電力供給をＡＣアダプタ４００で電圧変換を行なった後、充電台３００のＡＣアダプタ取付け端子３０１と充電端子３０２→クレードルの充電端子２０６とＩ／Ｆ部２０５→通信端末１００のＩ／Ｆ部１１６の経路で通信端末１００に電力供給を行なっていたが、これに限定されず、充電端子３０２と充電端子２０６間、Ｉ／Ｆ部２０５とＩ／Ｆ部１０６間の両方または一方を、電磁誘導方式等を使った非接触電力供給方式を採用してもよい。この場合、クレードル２００（２００Ａ）と通信端末１００の間の音声信号等の送受は、Ｉ／Ｆ部２０５とＩ／Ｆ部１０６間で交流電力波に重畳して搬送されるように行なってもよいし、あるいは近距離無線や光通信等の通信により行なってもよい。
【００６０】
また、本実施の形態では、クレードル２００Ａの電源として、充電池を用いていたが、これに限定されず、乾電池等の１次電池を用いてもよい。この場合、図７のように、充電端子２０６と充電制御部２１０が省略され、充電池２０９の代わりに１次電池２１２が配置される構成となる。クレードルに装着された通信端末１００には、１次電池２１２およびＩ／Ｆ部２０５からなる給電部２１１を介し、１次電池２１２から電力が供給される。この例では、クレードルを充電する必要がなくなるため、さらに利便性が改善される。
【００６１】
（実施の形態の効果）
スマートフォンなどのタブレット型電話機は、その形状から耳に当てて持つのに適した形状ではなく、またマイクを口に近くなる位置に配置することができないので、口の傍から声を拾うことになるため使用者は大きな声で話すことが求められる。そのため周囲に気遣う必要がある。
【００６２】
また従来の別筐体のスピーカフォンに接続したり、外付けイヤホンマイクまたは外付けハンドセットを接続したりして用いる場合もあるが、これらは通信端末１００と一体として使用できないために、使用する度毎に接続が必要であったり、特別な接続部品が必要になるなど、電話機としては使いにくいものであった。本実施の形態では、通信端末１００を一体的に装着するハンドセット型のクレードル２００（２００Ａ）を用いて、図５の態様のように、スピーカ、マイクの位置を各々耳と口の近傍に適正に配置し、把持しやすい本体部を有することにより、通話に適した形態で通信端末１００の通話機能を使用できるから、従来の別筐体のスピーカフォン、外付けイヤホンマイク、外付けハンドセットなどを使用した場合の、上述の使い勝手の悪さを解消することができる。
【００６３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６４】
１００  通信端末、１０６  クレードル装着検出部、１０７，２１０  充電制御部、１０８，２０９  充電池、１１４，２０７  スピーカ、１１５，２０８  マイク、２００，２００Ａ  クレードル、２０２  キーパッド操作部、２０６，３０２  充電端子、３００  充電台、４００  ＡＣアダプタ、５００  商用電源。
【図１】
2013118575.tif 000003
【図２】
2013118575.tif 000004
【図３】
2013118575.tif 000005
【図４】
2013118575.tif 000006
【図５】
2013118575.tif 000007
【図６】
2013118575.tif 000008
【図７】
2013118575.tif 000009